(57)【要約】【課題】測定器により測定対象装置を測定した場合にその履歴を自動的に当該測定器に記録する測定履歴記録型測定器を提供する。【解決手段】測定履歴記録型測定器１は、測定表示部２２と、タイマ３２と、測定履歴情報を測定器ＩＣタグ情報として記録する測定器ＩＣタグ３３と、測定対象装置１００に設けられて装置ＩＣタグ情報を記録する装置ＩＣタグ１０１から装置ＩＣタグ情報の読み取りを行い測定器ＩＣタグ３３との間で測定器ＩＣタグ情報の書き込み及び読み取りを行うＩＣタグリーダライタ３４と、測定が行われた場合に装置ＩＣタグ情報及び日時情報に基づいて測定履歴情報を作成してＩＣタグリーダライタ３４に測定器ＩＣタグ３３に書き込ませる測定履歴情報記録部３５と、ＩＣタグリーダライタ３４に測定器ＩＣタグ３３の測定履歴情報を読み取らせて表示する測定履歴情報表示部３６とを備える。【選択図】図１
2006098074.tif 000002
【特許請求の範囲】
【請求項１】
測定対象装置から出力された出力信号を測定し、当該測定結果を表示する測定表示部と、
日時情報を与えるタイマと、
前記測定表示部による測定についての測定履歴情報を測定器ＩＣタグ情報として記録する測定器ＩＣタグと、
測定対象装置に設けられて当該測定対象装置の識別情報を装置ＩＣタグ情報として記録する装置ＩＣタグから前記装置ＩＣタグ情報の読み取りを行い、前記測定器ＩＣタグとの間で測定器ＩＣタグ情報の書き込み及び読み取りを行うＩＣタグリーダライタと、
前記測定表示部による測定が行われた場合に、前記ＩＣタグリーダライタに前記装置ＩＣタグから前記装置ＩＣタグ情報を読み取らせ、前記タイマから日時情報を取得し、前記取得した装置ＩＣタグ情報と日時情報とに基づいて前記測定履歴情報を作成して、前記ＩＣタグリーダライタに前記測定器ＩＣタグに書き込ませる測定履歴情報記録部と、
前記ＩＣタグリーダライタに前記測定器ＩＣタグに書き込まれた前記測定履歴情報からなる測定器ＩＣタグ情報を読み取らせて表示する測定履歴情報表示部とを備える
ことを特徴とする測定履歴記録型測定器。
【請求項２】
前記測定履歴情報記録部は、前記測定表示部による測定が行われた場合に、その測定終了の後に前記装置ＩＣタグ情報と日時情報とを取得して前記測定履歴情報を作成する
ことを特徴とする請求項１記載の測定履歴記録型測定器。
【請求項３】
当該測定履歴記録型測定器が、更に、
当該測定履歴記録型測定器の校正を実施した場合、前記タイマから取得した日時情報に基づいて作成したその校正履歴情報を、前記測定器ＩＣタグ情報として前記測定器ＩＣタグに記録する校正履歴情報記録部を備える
ことを特徴とする請求項１記載の測定履歴記録型測定器。
【請求項４】
前記測定履歴情報表示部が、当該測定器の測定不良があった場合、前記ＩＣタグリーダライタに前記測定器ＩＣタグに書き込まれた前記測定履歴情報及び校正履歴情報を読み出させ、最終の校正履歴情報以降の測定履歴情報の範囲を表示する
ことを特徴とする請求項３記載の測定履歴記録型測定器。
【発明の詳細な説明】
【技術分野】
【０００１】
本発明は、測定履歴記録型測定器に関し、特に、測定器により測定対象装置を測定した場合にその履歴を自動的に当該測定器に記録する測定履歴記録型測定器に関する。
【背景技術】
【０００２】
コンピュータのような測定対象装置については、定期的に保守点検が行われ、正常か否かがチェックされる。例えば、コンピュータの電源部分について、正常な電圧が出力されているか否かが、電圧計を用いて当該出力電圧を調べられる。この時、測定に用いた電圧計が正常でなければ、正しい出力電圧であった当該出力電圧を異常な出力であると判断して、当該電圧計で図った場合における正常な出力電圧に調整してしまう。この調整後の出力電圧は、実際には異常な電圧である（可能性が高い）ので、その後コンピュータの稼動中において当該電圧部分やコンピュータ本体の故障の原因となる可能性がある。従って、測定器が正常でないことが判った場合、当該測定器を用いて測定した測定対象装置を知って、正しく（出力電圧等を）調整し直す必要がある。
【０００３】
そこで、測定器それ自体についても定期的に保守点検が行われ、正常か否かがチェックされ、正常でない（測定不良がある）場合には校正することにより、測定器毎に管理される。また、いつどの測定対象装置をどの測定器を用いて測定したかを記録用紙に記録しておく。具体的には、測定器で測定した装置を特定するための装置ＩＤと測定日とを、記録用紙に記録する。
【０００４】
なお、測定器（計測器）の能力に関する情報、構成に関する情報、貸出に関する情報をデータベースで管理することにより、測定器の貸出、返却、校正等についての管理を簡易に行おうとする技術が提案されている（特許文献１参照）。
【特許文献１】特開２００３−０９９６６２号公報
【発明の開示】
【発明が解決しようとする課題】
【０００５】
前述のような記録用紙を用いた管理によると、第１に、保守員にとって用紙に記録することは煩わしく、保守員が記録を誤ったり忘れるおそれがある。特に、保守の現場では、実際には、測定対象装置の数（従って、装置ＩＤの数）が極めて多いため、記録することについての保守員の負担は大きく、記録を誤ったり忘れる場合もある。
【０００６】
第２に、前述のように、測定器の点検において当該測定器の測定不良が発見された場合、保守員が、測定結果の記録用紙を参照して、当該測定不良の測定器を用いて測定した装置ＩＤを抽出し、当該装置ＩＤの測定対象装置を特定し、調整し直さなければならない。しかし、保守員が記録を誤ったり忘れた場合には、もはや当該測定対象装置を特定することはできない。また、保守の現場では、前述のように、測定対象装置の数が極めて多いため、記録用紙から装置ＩＤを抽出すること及び当該装置ＩＤの測定対象装置を特定することについての保守員の負担が大きく、また、装置ＩＤの抽出及び測定対象装置の特定に多くの時間を要している。更に、当該測定対象装置を特定することはできないため、又は、装置ＩＤの抽出等に多くの時間を要するため、測定不良の測定器を用いた（出力電圧等の）調整に起因する障害を未然に防止することができ難く、また、発生した当該障害を早期にその原因を特定して解決することができない。
【０００７】
本発明は、測定器により測定対象装置を測定した場合にその履歴を自動的に当該測定器に記録する測定履歴記録型測定器を提供することを目的とする。
【課題を解決するための手段】
【０００８】
本発明の測定履歴記録型測定器は、測定対象装置から出力された出力信号を測定し、当該測定結果を表示する測定表示部と、日時情報を与えるタイマと、前記測定表示部による測定についての測定履歴情報を測定器ＩＣタグ情報として記録する測定器ＩＣタグと、測定対象装置に設けられて当該測定対象装置の識別情報を装置ＩＣタグ情報として記録する装置ＩＣタグから前記装置ＩＣタグ情報の読み取りを行い、前記測定器ＩＣタグとの間で測定器ＩＣタグ情報の書き込み及び読み取りを行うＩＣタグリーダライタと、前記測定表示部による測定が行われた場合に、前記ＩＣタグリーダライタに前記装置ＩＣタグから前記装置ＩＣタグ情報を読み取らせ、前記タイマから日時情報を取得し、前記取得した装置ＩＣタグ情報と日時情報とに基づいて前記測定履歴情報を作成して、前記ＩＣタグリーダライタに前記測定器ＩＣタグに書き込ませる測定履歴情報記録部と、前記ＩＣタグリーダライタに前記測定器ＩＣタグに書き込まれた前記測定履歴情報からなる測定器ＩＣタグ情報を読み取らせて表示する測定履歴情報表示部とを備える。
【発明の効果】
【０００９】
本発明の測定履歴記録型測定器によれば、当該測定器に設けられた測定器ＩＣタグに、測定の都度に自動的にその測定履歴情報が記録される。この記録された測定履歴情報により、当該測定器での測定の履歴を表示させることができる。これにより、記録用紙を用いた管理とは異なり、保守員が測定履歴情報を用紙に記録する必要がなく、誤ったり忘れることもなく、測定対象装置の数が多くても何ら影響されることなく測定履歴を正確に記録することができる。また、当該測定器の測定不良が発見された場合、測定器ＩＣタグに書き込んだ測定履歴情報により、当該測定不良の測定器を用いて測定した測定対象装置を、漏れなく正確かつ迅速に特定することができる。これにより、保守員が測定結果の記録用紙を参照するまでもなく、当該測定不良の測定器を用いて測定した測定対象装置を調整し直すことができる。特に、特定すべき測定対象装置を漏れ無く、正確かつ迅速に特定することができるので、測定不良の測定器を用いた調整に起因する障害を未然に防止することができ、また、発生した当該障害を早期にその原因を特定して解決することができる。
【発明を実施するための最良の形態】
【００１０】
図１は測定履歴記録型測定器構成図であり、特に、本発明の測定履歴記録型測定器の構成の一例を示す。
【００１１】
測定履歴記録型測定器１は、装置ＩＣタグ１０１を備える測定対象装置１００を測定し、その測定履歴を自動的に記録して管理する。装置ＩＣタグ１０１は、測定対象装置１００に設けられ、当該測定対象装置１００の装置識別情報を装置ＩＣタグ情報（の一部）として記録する。測定対象装置１００は、例えば、コンピュータ等からなり、測定出力端子１０２を備える。測定出力端子１０２には、測定対象となる信号（出力信号）、例えば電流、電圧、（電流等の）波形等が出力される。
【００１２】
なお、測定の対象が、例えばコンピュータの設置された室内の温度や湿度である場合には、測定対象装置１００は、温度等の測定のための測定出力端子１０２を備えない。また、測定履歴記録型測定器１は、温度等の測定のための測定プローブ２１（後述する）は備えず、直接当該室内の温度を測定して表示する。
【００１３】
装置ＩＣタグ１０１は、周知のＩＣタグからなり、ＲＦＩＤ（Radio Frequency Identification）とも呼ばれ、例えばＩＣタグ情報を格納するメモリ等からなるＩＣチップとアンテナとを基板上に取り付けることにより構成される。装置ＩＣタグ１０１は、ＩＣタグリーダライタ３４からの電波を受信して、当該装置ＩＣタグ情報をＩＣタグリーダライタ３４に返信する。この返信された電波をＩＣタグリーダライタ３４で読み取ることにより、当該装置ＩＣタグ情報を得ることができる。装置ＩＣタグ１０１は、小型であることが望ましいが、例えば当該測定対象装置１００の証明書やカード等に貼付したものであっても良く、当該証明書等を当該測定対象装置１００に貼付するようにしても良い。
【００１４】
装置ＩＣタグ１０１は、非接触型であって、所定の周波数で所定の読取距離で読取可能な（送受信を行なう）ＩＣタグであり、また、ＩＣタグリーダライタ３４から電力伝送を行なうことにより電池を不要とする型である。所定の読取距離は、例えば約５０ｃｍ〜２００ｃｍである。所定の読取距離を半径とする領域が読取範囲（送受信可能な範囲）である。装置ＩＣタグ１０１は、電池を使用する型であっても良い。
【００１５】
図２（Ａ）は装置ＩＣタグ１０１の格納する装置ＩＣタグ情報の一例を示す。装置ＩＣタグ情報は、タグＩＤ、装置識別情報からなる。タグＩＤは、当該装置ＩＣタグ１０１を特定するための情報であって、ユニークなものとされる。装置識別情報は、当該装置ＩＣタグ１０１が貼付されている測定対象装置１００を特定するための情報であって、例えばユーザ名、機種名、号機からなる。ユーザ名は当該測定対象装置１００を設置している使用者の名前である。機種名は当該測定対象装置１００の名前である。号機は、当該使用者における当該測定対象装置１００の設置の順番を示す番号である。
【００１６】
装置ＩＣタグ情報の装置識別情報は、例えば、コンピュータ等の当該測定対象装置１００を工場から出荷する際に、当該メーカにより書き込まれる。即ち、当該メーカに設置したＩＣタグリーダライタにより、装置ＩＣタグ１０１に装置ＩＣタグ情報の装置識別情報が書き込まれる。これにより、装置識別情報を測定対象装置１００に書き込むよりも簡単な構成でかつ容易に装置識別情報を測定対象装置１００に付加することができる。装置ＩＣタグ情報のタグＩＤは、例えば当該装置ＩＣタグ１０１の半導体チップを工場から出荷する際に、当該半導体メーカにより書き込まれる。
【００１７】
測定履歴記録型測定器１は、図１に示すように、周知の測定器２に、本発明の測定履歴記録システム３を組み込んだものである。周知の測定器２は、例えば電流計、電圧計、波形を測定するためのオシロスコープ等の種々の測定器であって良く、これらに本発明の測定履歴記録システム３を搭載すれば良い。
【００１８】
周知の測定器２は、例えば測定プローブ２１、測定表示部２２、ディスプレイ（表示装置）２３からなる。測定プローブ２１は、周知のように、測定対象装置１００の測定出力端子１０２に接続され、測定対象装置１００の測定出力端子１０２から出力された出力信号を取り込み、測定表示部２２に入力する。測定表示部２２は、測定対象装置１００から出力された出力信号を測定し、当該測定結果をディスプレイ２３に表示する。ディスプレイ２３は、所定の表示装置からなり、例えば電圧計の表示部、オシロスコープの表示部（ＣＲＴ）等からなる。
【００１９】
本発明の測定履歴記録システム３は、制御部３１、タイマ３２、測定器ＩＣタグ３３、ＩＣタグリーダライタ３４、測定履歴情報記録部３５、測定履歴情報表示部３６、校正履歴情報記録部３７、校正ボタン３８、履歴表示ボタン３９からなる。
【００２０】
制御部３１は、測定履歴情報システム３の全体を制御し、必要に応じて、測定履歴の記録、管理、出力（表示）を行う。制御部３１は、例えば測定履歴情報システム３を構成するＣＰＵ及び主メモリ（図示せず）からなり、具体的には当該主メモリ上に常駐する当該処理プログラムをＣＰＵ上で実行することにより実現される。タイマ３２は、例えばＣＰＵの備えるＣＰＵタイマ（内蔵時計）からなり、日時情報を与える。即ち、当該測定の行われた日時を与える。
【００２１】
制御部３１は、測定表示部２２を監視して測定表示部２２による測定が行われたか否かを調べ、当該測定が行われた場合、測定履歴情報記録部３５に測定履歴情報記録処理を実行させる。また、制御部３１は、校正ボタン３８を監視してこれが押し下げられたか否かを調べ、押し下げられた場合、校正履歴情報記録部３７に校正履歴情報記録処理を行わせる。更に、制御部３１は、履歴表示ボタン３９を監視してこれが押し下げられたか否かを調べ、押し下げられた場合、測定履歴情報表示部３６に測定履歴情報表示処理を行わせる。
【００２２】
なお、制御部３１は、測定表示部２２の監視が当該測定結果に影響を与えないように、当該監視を行う。このために、制御部３１は、例えば測定表示部２２からのディスプレイ２３への所定の出力の有無を検出する。又は、制御部３１は、例えば測定表示部２２が測定を行う測定部と表示信号を形成する表示部とからなる場合において、測定部からの表示部への出力の有無を検出する。
【００２３】
測定器ＩＣタグ３３としては、例えば前述の装置ＩＣタグ１０１と同様のものを用いる。即ち、ＩＣチップとアンテナとからなり、表示接触型で電池を不要とするタイプのＩＣタグである。なお、測定器ＩＣタグ３３の読取距離は、装置ＩＣタグ１０１よりも短くても良い。また、前述のように、測定器ＩＣタグ３３は、小型であることが望ましいが、カード等に貼付したものを測定履歴記録型測定器１に貼付するようにしても良い。
【００２４】
測定器ＩＣタグ３３は、前述のように、ＩＣタグリーダライタ３４からの電波を受信して、当該測定器ＩＣタグ情報をＩＣタグリーダライタ３４に返信する。また、測定器ＩＣタグ３３は、ＩＣタグリーダライタ３４からの電波を受信して、測定履歴情報をそのメモリに書き込む。これにより、測定履歴情報を記録することができる。
【００２５】
測定器ＩＣタグ３３は、測定表示部２２による測定についての測定履歴情報を測定器ＩＣタグ情報として記録する。図２（Ｂ）は測定器ＩＣタグ３３の格納する測定器ＩＣタグ情報の一例を示す。測定器ＩＣタグ情報は、タグＩＤ、測定器ＩＤ、（複数の）校正履歴情報（校正日付）、（複数の）測定履歴情報からなる。
【００２６】
タグＩＤは、当該測定器ＩＣタグ３３を特定するための情報であって、ユニークなものとされる。測定器ＩＤは、当該測定器ＩＣタグ３３が貼付されている測定履歴記録型測定器１を特定するための情報であって、ユニークなものとされる。校正履歴情報は、当該測定履歴記録型測定器１の校正（調整）を行った履歴（校正履歴）を示す情報であって、当該校正を行った日付（校正日付）からなる。測定履歴情報は、当該測定履歴記録型測定器１を用いて測定を行った履歴（測定履歴）を示す情報であって、当該測定を行った日付（測定日付）、当該測定した測定対象装置１００の装置識別情報からなる（図３参照）。
【００２７】
なお、校正履歴情報は、当該測定履歴記録型測定器１を検査したが、これが正常で校正の必要がない場合には、記録されない。また、校正履歴情報として、校正をすることとなった原因を示すコード（原因コード）からなる原因情報、当該校正の結果を示す値からなる校正結果情報等を付加するようにしても良い。また、測定履歴情報として、例えば当該測定を行った保守員を示すＩＤからなる測定者情報、当該測定の結果を示す値からなる測定値情報等を付加するようにしても良い。
【００２８】
測定器ＩＣタグ情報のタグＩＤは、例えば当該測定器ＩＣタグ３３の半導体チップを工場から出荷する際に、当該半導体メーカにより書き込まれる。測定器ＩＤは、例えば、当該測定履歴記録型測定器１の所有者により、これに当該測定器ＩＣタグ３３を貼付する前に当該所有者の有するＩＣタグリーダライタにより、又は、貼付した後にＩＣタグリーダライタ３４により、書き込まれる。これにより、当該測定履歴記録型測定器１に書き込むよりも簡単な構成でかつ容易に、測定器ＩＤを測定履歴記録型測定器１に付加することができる。
【００２９】
校正履歴情報は、当該測定履歴記録型測定器１の校正を行った際に、ＩＣタグリーダライタ３４により、測定器ＩＣタグ３３の校正履歴領域（図２（Ｂ）参照）にその先頭から順に書き込まれる。測定履歴情報は、当該測定履歴記録型測定器１を用いて測定を行った際に、ＩＣタグリーダライタ３４により、測定器ＩＣタグ３３の測定履歴領域（図２（Ｂ）参照）にその先頭から順に書き込まれる。
【００３０】
図３は測定履歴情報の一例を示す。測定履歴情報は、前述のように、測定日付と、装置識別情報を構成するユーザ名、機種名、号機からなる。測定日付は、当該測定を行った際に、タイマ３２から取得した日付である。この装置識別情報は、当該測定対象装置１００の装置ＩＣタグ１０１から、その測定時に読み出された情報である。これらを対応付けることにより、測定履歴情報が作成される。測定履歴情報は、測定日付の古い順に、測定器ＩＣタグ３３の測定履歴領域に格納される。なお、測定履歴情報記録部３５は、測定履歴領域の全てに測定履歴情報が書き込まれた場合、その測定日付の古い順に上書きし、日付の古い順に並べる。
【００３１】
ＩＣタグリーダライタ３４は、周知のＩＣタグリーダライタからなる。ＩＣタグリーダライタ３４は、当該測定履歴記録型測定器１を用いて測定が行われた場合に、当該装置ＩＣタグ１０１から装置ＩＣタグ情報の読み取りを行う。また、ＩＣタグリーダライタ３４は、測定器ＩＣタグ３３との間で測定器ＩＣタグ情報の書き込み及び読み取りを行う。即ち、ＩＣタグリーダライタ３４は、当該測定履歴記録型測定器１を用いて測定が行われた場合に測定器ＩＣタグ３３へ測定履歴情報を書き込み、また、当該測定履歴記録型測定器１の校正が行われた場合に測定器ＩＣタグ３３へ校正履歴情報を書き込み、当該測定履歴記録型測定器１の校正が行われた場合に測定器ＩＣタグ３３から測定履歴情報及び校正履歴情報を読み取る。
【００３２】
測定履歴情報記録部３５は、測定表示部２２による測定が行われた場合に、ＩＣタグリーダライタ３４に装置ＩＣタグから装置ＩＣタグ情報を読み取らせ、タイマ３２から日時情報を取得し、取得した装置ＩＣタグ情報と日時情報とに基づいて測定履歴情報を作成して、ＩＣタグリーダライタ３４に測定器ＩＣタグ３３に書き込ませる。具体的には、測定履歴情報記録部３５は、測定表示部２２による測定が行われた場合に、その測定終了の後に、測定履歴情報記録処理を行う。即ち、装置ＩＣタグ情報と日時情報とを取得して測定履歴情報を作成して、これを測定器ＩＣタグ３３に記録する。
【００３３】
測定履歴情報表示部３６は、ＩＣタグリーダライタ３４に測定器ＩＣタグ３３に書き込まれた測定履歴情報からなる測定器ＩＣタグ情報を読み取らせて表示する。具体的には、測定履歴情報表示部３６が、当該測定器の測定不良があった場合、ＩＣタグリーダライタ３４に測定器ＩＣタグ３３に書き込まれた測定履歴情報及び校正履歴情報を読み出させ、最終の校正履歴情報以降の測定履歴情報の範囲を表示する。
【００３４】
校正履歴情報記録部３７は、当該測定履歴記録型測定器１の校正が実施された場合、タイマ３２から取得した日時情報に基づいて作成したその校正履歴情報を、測定器ＩＣタグ情報として測定器ＩＣタグ３３に記録する。具体的には、校正履歴情報記録部３７が、当該測定履歴記録型測定器１の校正が実施された場合、ＩＣタグリーダライタ３４に、作成した校正履歴情報を測定器ＩＣタグ３３に書き込ませる。
【００３５】
校正ボタン３８は、当該測定履歴記録型測定器１の筐体の例えばディスプレイ２３の設けられる面（例えば、オペレーションパネル、履歴表示ボタン３９も同じ）に設けられ、必要に応じて、保守員により押し下げられる。保守員は、当該測定履歴記録型測定器１の検査を定期的に（又は随時）行って、これが正常である場合には、校正ボタン３８を押し、当該測定履歴記録型測定器１が異常である場合には、これを正しく校正した上で、校正ボタン３８を押し下げる。校正ボタン３８の押し下げ入力は制御部３１に入力される。これにより、制御部３１は、校正が行われたことを知り、校正履歴情報記録部３７に校正履歴情報記録処理を行わせる。なお、校正ボタン３８に代えて、他の手段により同様の機能を実現するようにしても良い（履歴表示ボタン３９も同じ）。
【００３６】
履歴表示ボタン３９は、当該測定履歴記録型測定器１の筐体の例えばディスプレイ２３の設けられる面に設けられ、必要に応じて、保守員により押し下げられる。保守員は、当該測定履歴記録型測定器１を校正した場合、例えばこれに続いて、履歴表示ボタン３９を押し下げる。履歴表示ボタン３９の押し下げ入力は制御部３１に入力される。これにより、制御部３１は、測定履歴情報表示部３６に測定履歴情報表示処理（測定不良表示処理）を行わせる。
【００３７】
以下、本発明の測定履歴記録型測定器１を用いて複数の測定対象装置１００を測定した場合における測定履歴情報記録処理及び校正処理、及びこれらに基づく計測不良の範囲の抽出処理について説明する。
【００３８】
例えば測定対象装置１００の出荷時に、装置ＩＣタグ１０１が、図１に示すように、測定対象装置１００の筐体の中で、測定出力端子１０２が設けられた面に接着剤等により貼付される。一方、例えば測定に先立って、測定器ＩＣタグ３３が、測定履歴記録型測定器１の筐体の中で、測定時に測定対象装置１００の測定出力端子１０２が設けられた面と向かい合う面（設置面）に接着剤等により貼付される。当該設置面は測定時に装置ＩＣタグ１０１と向かい合うので、当該設置面にはＩＣタグリーダライタ３４のアンテナ（図１参照）が設けられる。
【００３９】
以上のようにされた測定履歴記録型測定器１の測定プローブ２１が、測定対象装置１００を測定出力端子１０２に接続される。この時、当該接続により、ＩＣタグリーダライタ３４のアンテナが装置ＩＣタグ１０１に向き合うようにされる。これにより、ＩＣタグリーダライタ３４により、装置ＩＣタグ１０１からその装置ＩＣタグ情報を確実に読み取ることができる。また、ＩＣタグリーダライタ３４により、測定器ＩＣタグ３３からその測定器ＩＣタグ情報を確実に読み取ることができる。この後、図４に示すように測定表示処理及び測定履歴情報記録処理が実行される。
【００４０】
図４は、測定履歴情報記録処理フローであり、本発明による測定履歴情報記録処理を示す。測定表示部２２は、測定対象装置１００から出力された出力信号を測定し、当該測定結果をディスプレイ２３に表示する（ステップＳ１１）。制御部３１は、測定表示部２２を監視し、測定表示部２２による測定が行われたか否かを調べる（ステップＳ１２）。測定が行われない場合、制御部３１はステップＳ１２を繰り返す。測定が行われた場合、制御部３１は、これを測定履歴情報記録部３５に通知して測定履歴情報記録処理を実行させる。即ち、測定履歴情報記録部３５は、測定表示部２２による測定が行われた場合、その測定終了の後に、まず、ＩＣタグリーダライタ３４に装置ＩＣタグ１０１から装置ＩＣタグ情報を読み取らせ（ステップＳ１３）、次に、タイマ３２から測定日付情報（日時情報）を取得し（ステップＳ１４）、これらの取得した装置ＩＣタグ情報と日時情報とに基づいて測定履歴情報を作成して、測定器ＩＣタグ３３の測定履歴領域の最後尾へ、ＩＣタグリーダライタ３４に書き込ませる（ステップＳ１５）。これにより、測定履歴記録型測定器１を用いた測定の都度、特に保守員が意識することなく、その測定履歴情報を測定履歴記録型測定器１それ自体に記録することができる。
【００４１】
この後、当該測定の結果に従って、保守員が、必要に応じて、当該測定対象装置１００の調整を行う。例えば、その出力電圧が規定よりも高ければ、これを低くなるように調整して、規定を満たすようにする。
【００４２】
この後、保守員が測定履歴記録型測定器１の定期点検を行う。測定履歴記録型測定器１に異常が無い場合には、検査が終了した時点で校正ボタン３８を押し下げる。当該測定履歴記録型測定器１が異常である場合には、保守員は、これを正しく校正した上で、校正ボタン３８を押し下げる。これにより、図５に示す校正履歴情報記録処理が実行される。
【００４３】
図５は、校正履歴情報記録処理フローであり、本発明による校正履歴情報記録処理を示す。制御部３１は、校正ボタン３８を監視し、これが押し下げられたか否かを調べる（ステップＳ２１）。押し下げられない場合、制御部３１はステップＳ２１を繰り返す。押し下げられた場合、制御部３１は、これを校正履歴情報記録部３７に通知して校正履歴情報記録処理を実行させる。即ち、校正履歴情報記録部３７は、当該測定履歴記録型測定器１の校正が実施された場合、タイマ３２から日付情報（日時情報）を取得し（ステップＳ２２）、これを用いて校正履歴情報作成し、これを測定器ＩＣタグ情報として測定器ＩＣタグ３３に記録する（ステップＳ２３）。これにより、測定履歴記録型測定器１の校正の都度、特に保守員が意識することなく、その校正履歴情報を測定履歴記録型測定器１それ自体に記録することができる。
【００４４】
この後、測定履歴記録型測定器１の校正を終了した保守員は、これに続けて、履歴表示ボタン３９を押し下げる。これにより、図６に示す履歴表示処理（測定不良範囲表示処理）が実行される。
【００４５】
図６は、測定不良範囲表示処理フローであり、本発明による測定不良範囲表示処理を示す。制御部３１は、履歴表示ボタン３９を監視し、これが押し下げられたか否かを調べる（ステップＳ３１）。押し下げられない場合、制御部３１はステップＳ３１を繰り返す。押し下げられた場合、制御部３１は、これを測定履歴情報表示部３６に通知して測定履歴情報表示処理を実行させる。即ち、測定履歴情報表示部３６は、当該測定器の校正があった場合、ＩＣタグリーダライタ３４に測定器ＩＣタグ３３に書き込まれた測定器ＩＣタグ情報（即ち、測定履歴情報及び校正履歴情報）を読み取らせ（ステップＳ３２）、最終の校正日付（校正履歴情報）以降の測定履歴情報の範囲（測定不良範囲）を抽出し（ステップＳ３３）、当該抽出した測定履歴情報の範囲を、ディスプレイ２３に表示する（ステップＳ３４）。これにより、測定履歴記録型測定器１の校正の都度、その測定不良範囲を測定履歴記録型測定器１それ自体から知ることができる。
【００４６】
例えば、図３に示す測定履歴情報が測定器ＩＣタグ３３に記録されているとする。また、測定器ＩＣタグ３３に記録されている校正履歴情報の最終（前回）の校正日付が「２００４年６月２０日」であるとする。この場合、８番〜１３番までの測定履歴情報は、校正すべき（即ち、異常のある）測定履歴記録型測定器１による測定に基づいて、その調整を行ってしまったことになる。そこで、測定履歴情報表示部３６は、８番〜１３番までの測定履歴情報を、測定不良範囲としてディスプレイ２３に表示する。これにより、保守員は、８番〜１３番までの測定履歴情報に基づいて、直ちにこれらの測定対象装置１００の再度の調整を行うことができる。なお、全ての測定履歴情報を表示して、測定不良範囲を他とは異なる背景色で表示するようにしても良い。また、測定不良範囲を印刷出力するようにしても良い。また、校正を行ったか否かにかかわらず、履歴表示ボタン３９の押し下げに応じて測定履歴情報を表示するようにしても良い。
【産業上の利用可能性】
【００４７】
本発明によれば、測定履歴記録型測定器において、記録用紙を用いた管理とは異なり、保守員が測定履歴を用紙に記録する必要がなく、誤ったり忘れることもなく、測定対象装置の数が多くても何ら影響されることなく測定履歴を正確に記録することができる。また、当該測定器の測定不良が発見された場合、当該測定器を用いて測定した測定対象装置を、漏れなく正確かつ迅速に特定することができる。これにより、測定結果の記録用紙を参照するまでもなく、当該測定不良の測定器を用いて測定した測定対象装置を調整し直すことができる。特に、特定すべき測定対象装置を漏れ無く、正確かつ迅速に特定することができるので、測定不良の測定器を用いた調整に起因する障害を未然に防止することができ、また、発生した当該障害を早期にその原因を特定して解決することができる。
【図面の簡単な説明】
【００４８】
【図１】測定履歴記録型測定器構成図である。
【図２】測定履歴情報記録説明図である。
【図３】測定履歴情報記録説明図である。
【図４】測定履歴情報記録処理フローである。
【図５】校正履歴情報記録処理フローである。
【図６】測定不良範囲表示処理フローである。
【符号の説明】
【００４９】
１    測定履歴記録型測定器  
２１    測定プローブ
２２    測定表示部
２３    ディスプレイ（表示装置）
３１    制御部
３２    タイマ
３３    測定器ＩＣタグ
３４    ＩＣタグリーダライタ
３５    測定履歴情報記録部
３６    測定履歴情報表示部
３７    校正履歴情報記録部
３８    校正ボタン
３９    履歴表示ボタン
【図１】
2006098074.tif 000003
【図２】
2006098074.tif 000004
【図３】
2006098074.tif 000005
【図４】
2006098074.tif 000006
【図５】
2006098074.tif 000007
【図６】
2006098074.tif 000008